(57)【要約】【課題】  運転中にも曲のリクエストが可能な「オーディオ装置」、「電子メール送信方法」及び「プログラム」を提供できる。【解決手段】  ラジオ放送を受信するラジオ受信部１１を有するオーディオ装置において、ラジオ番組のリクエスト受け付け用のメールアドレスを取得する処理を行い、前記メールアドレスにリクエストする曲を記載した電子メールを送信する処理を行う制御部１０と、前記電子メールに記載すべき内容を音声により認識する音声認識部１６を備えている。【選択図】          図１
2006338323.tif 000002
【特許請求の範囲】
【請求項１】
放送を受信する受信部を有するオーディオ装置において、
視聴者からの電子メールを受け付ける番組のメールアドレスを取得する処理を行い、前記メールアドレスに電子メールを送信する処理を行う制御部を備えていることを特徴とするオーディオ装置。
【請求項２】
放送を受信する受信部を有するオーディオ装置において、
番組のリクエスト受け付け用のメールアドレスを取得する処理を行い、前記メールアドレスにリクエストする曲を記載した電子メールを送信する処理を行う制御部を備えていることを特徴とするオーディオ装置。
【請求項３】
前記電子メールに記載すべき内容を音声により認識する音声認識部を備えていることを特徴とする請求項１又は２に記載のオーディオ装置。
【請求項４】
前記制御部は、インターネット上のサイトから又は放送波からメールアドレスを取得する処理を行うことを特徴とする請求項１又は２に記載のオーディオ装置。
【請求項５】
前記電子メールに記載すべき内容を音声により認識する音声認識部を備え、
前記制御部は、前記音声認識部が認識した音声に基づいて予め利用者が入力しておいた曲名のうちから、リクエストする曲を選択することを特徴とする請求項１又は２に記載のオーディオ装置。
【請求項６】
受信局及び番組名を、前記メールアドレスと関連付けて記憶する記憶部と、
受信局及び番組名と前記メールアドレスとを表示する表示部とを備えていることを特徴とする請求項１又は２に記載のオーディオ装置。
【請求項７】
視聴者からの電子メールを受け付ける番組のメールアドレスを取得するステップと、
前記メールアドレスに電子メールを送信するステップと、
前記電子メールに記載すべき内容を音声により認識する音声認識ステップとを備えた電子メール送信方法。
【請求項８】
視聴者からの電子メールを受け付ける番組のメールアドレスを取得するステップと、
前記メールアドレスに電子メールを送信するステップと、
前記電子メールに記載すべき内容を音声により認識する音声認識ステップとをコンピュータに実行させるためのプログラム。
【発明の詳細な説明】
【技術分野】
【０００１】
本発明は、オーディオ装置、電子メール送信方法及びプログラムに関する。
【背景技術】
【０００２】
従来から車両には、ラジオ受信機を備えるオーディオ装置が搭載されており、
利用者は、運転中にラジオから流れてくる音楽を聴くことにより、快適にドライブをすることができる。
【０００３】
一方、近年では、ラジオ番組へのリクエスト曲を携帯電話やパソコンなどを用いて、電子メールにて送信する方式が増えている。電子メールでリクエスト曲を送信することは、リクエストする者にとって、いつでも手軽にリクエストすることができ、非常に便利である。また、このような発明として、例えば特許文献１に開示されているリクエストシステムが該当する。
【０００４】
【特許文献１】特開２００１−３２５３４８号公報
【発明の開示】
【発明が解決しようとする課題】
【０００５】
しかしながら、特許文献１に記載のリクエストシステムでは、携帯電話などを用いて、運転中にリクエストする必要がある。このため、運転中に番組へリクエストするには、運転中にリクエスト先のメールアドレスを覚え、携帯電話に入力し、リクエストする曲の曲名を書いた電子メールを送信する必要がある。運転中にこのような行為をすることは非常に危険であるため、従来はリクエストを諦めざるを得なかった。
【０００６】
そこで、本発明の目的は、運転中にも曲のリクエストが可能なオーディオ装置、電子メール送信方法及びプログラムを提供する。
【課題を解決するための手段】
【０００７】
上記目的は、放送を受信する受信部を有するオーディオ装置において、視聴者からの電子メールを受け付ける番組のメールアドレスを取得する処理を行い、前記メールアドレスに電子メールを送信する処理を行う制御部を備えていることを特徴とするオーディオ装置によって達成できる。
【０００８】
本発明により、番組へのリクエストやアンケート等を記載した電子メールを送信することができるオーディオ装置が実現される。
【０００９】
また、放送を受信する受信部を有するオーディオ装置において、番組のリクエスト受け付け用のメールアドレスを取得する処理を行い、前記メールアドレスにリクエストする曲を記載した電子メールを送信する処理を行う制御部とを備えていることを特徴とするオーディオ装置によって達成できる。
【００１０】
本発明により、電子メールを送信することにより曲のリクエストが可能となるオーディオ装置が実現される。
【００１１】
また、前記電子メールに記載すべき内容を音声により認識する音声認識部を備えているオーディオ装置によっても達成できる。
【００１２】
本発明により、利用者の声によって電子メールの内容を記載することができる。
【００１３】
また、前記制御部は、インターネット上のサイトから又は放送波からメールアドレスを取得する処理を行うことを特徴とするオーディオ装置によっても達成できる。
【００１４】
また、前記電子メールに記載すべき内容を音声により認識する音声認識部を備え、前記制御部は、前記音声認識部が認識した音声に基づいて予め利用者が入力しておいた曲名のうちから、リクエストする曲を選択することを特徴とするオーディオ装置によっても達成できる。
【００１５】
本発明により、音声によって容易に所望の曲をリクエストすることができる。
【００１６】
また、受信局及び番組名を、前記メールアドレスと関連付けて記憶する記憶部と、受信局及び番組名と前記メールアドレスとを表示する表示部とを備えていることを特徴とするオーディオ装置によっても達成できる。
【００１７】
また、視聴者からの電子メールを受け付ける番組のメールアドレスを取得するステップと、前記メールアドレスに電子メールを送信するステップと、前記電子メールに記載すべき内容を音声により認識する音声認識ステップとを備えた電子メール送信方法によっても達成できる。
【００１８】
また、視聴者からの電子メールを受け付ける番組のメールアドレスを取得するステップと、前記メールアドレスに電子メールを送信するステップと、前記電子メールに記載すべき内容を音声により認識する音声認識ステップとをコンピュータに実行させるためのプログラムによっても達成できる。
【発明の効果】
【００１９】
本発明によれば、運転中にも曲のリクエストが可能なオーディオ装置、電子メール送信方法及びプログラムを提供できる。
【発明を実施するための最良の形態】
【００２０】
以下、本発明を実施するための最良の形態について説明する。
【実施例１】
【００２１】
図１は、オーディオ装置１の構成を示すブロック図である。オーディオ装置１は、制御部１０、ラジオ受信部１１、送受信部１２、表示部１３、操作部１４、記憶部１５、音声認識部１６を備える。尚、本実施例に係るオーディオ装置１は、車両に搭載されている。
【００２２】
制御部１０は、ＣＰＵ（Central  Processing  Unit）、ＲＯＭ（Read  Only  Memory）、ＲＡＭ（Random  Access  Memory）等から構成され、オーディオ装置１の全体の制御を行う。また、詳しくは後述するが、制御部１０は、ラジオ受信部１１又は送受信部１２を介して曲のリクエストを受け付けているメールアドレスを取得し、この取得したメールアドレスと、番組名、放送時間、放送内容等の番組情報を関連付ける。
【００２３】
ラジオ受信部１１は、ラジオ放送の放送波を受信し制御部１０に送信する。また、ラジオ受信部１１は、ＦＭ文字多重放送等の文字情報を含む放送波を受信することもできる。
【００２４】
送受信部１２は、インターネットに接続可能であり、メールを送信することができる。また、送受信部１２は、音声認識部１６を介して制御部１０により認識された曲をリクエスト曲として、制御部１０で取得されたメールアドレスに、リクエスト曲を記載した電子メールを送信する。送受信部１２は、直接インターネットに接続してもよいし、携帯端末を介してインターネットに接続するものであってもよい。
【００２５】
表示部１３は、番組名、放送時間、放送内容等の番組情報を表示する。
【００２６】
操作部１４は、利用者が各種の指示をオーディオ装置１に入力するためのリモコンや入力キーである。
【００２７】
記憶部１５は、制御部１０により関連付けられたメールアドレスと、番組名、放送時間、放送内容等の番組情報を記憶する。
【００２８】
音声認識部１６は、特定話者の音声を認識する装置であり、マイク（不図示）から出力されたアナログの音声信号をデジタル信号に変換して音声認識処理する。具体的には、音声認識部１６はマイクからの音声を分析して利用者の発話を検出して所望の曲の認識を行う。音声認識部１６は、ＣＰＵ等を用いて実現できる。
【００２９】
次に、オーディオ装置１の具体的な処理について、図２を参照して説明する。図２は、オーディオ装置１を用いてリクエストをする際の処理を示すフローチャートである。
【００３０】
図２に示す処理は、電源投入によってスタートし、電源オフによって終了する。この電源投入及びオフは、オーディオ装置１の電源自体がオン・オフされるか、または車両のエンジンスタートキー（イグニッションスイッチ）のオン・オフで実行される。
【００３１】
制御部１０は、ラジオ受信部１１を介して、ラジオ放送の音声信号を受信する（ステップＳ１０）。制御部１０は、この音声信号をアンプ（不図示）を介して、スピーカに出力する。そして、制御部１０は、送受信部１２を介してインターネットから、又はラジオ受信部１１を介してラジオ放送の放送波の文字情報から、現在受信している番組情報や、曲のリクエストを受け付けるメールアドレスを取得する（ステップＳ１１）。
【００３２】
次に、制御部１０は、取得した番組情報に基づいて、ラジオの局名、周波数、番組名、曲のリクエストを受け付けるメールアドレス等を関連付けたテーブルを作成する（ステップＳ１２）。例えば、図３に示すようなテーブルである。また、制御部１０で作成されたテーブルは、記憶部１５に記憶される。
【００３３】
次に、制御部１０は、作成されたテーブルを基に表示部１３のディスプレイに現在受信しているＡＭ／ＦＭ受信局を表示し、同時に番組名、放送時間、番組内容を表示する（ステップＳ１３）。例えば図４のようにディスプレイに表示される。
【００３４】
この番組に対して利用者がリクエストする場合には、利用者はマイクに向かって、リクエストしたい旨とリクエストする曲名を発声する。例えば、利用者は「リクエストしちゃおう。」と発声した後に、リクエストする曲名を発声する。利用者がリクエストしたい旨とリクエストする曲名を発声すると、音声認識部１６は利用者の音声を認識し、リクエスト曲を認識する。制御部１０は、音声認識部１６からの信号を基にリクエスト曲を認識する（ステップＳ１４）。リクエスト曲を認識した後に制御部１０は、表示部１３に、図５のような曲目とリクエスト先のメールアドレスを表示する（ステップＳ１５）。尚、利用者はリクエストする曲と併せて、アーティスト名をすることにより、
【００３５】
利用者は、そのリクエスト曲で電子メールを送信する場合には、その旨を発声する。例えば、利用者は「送っちゃおう。」と発声する。音声認識部１６はその旨を認識し、制御部１０は、送受信部１２からその曲をリクエスト曲として電子メールを送信する（ステップＳ１６）。以上により、オーディオ装置１のリクエストをする際の処理は終了する。
【００３６】
このように、利用者は運転中であっても発声することにより、利用者の所望の曲をリクエストすることが可能となり、快適なドライブを楽しむことができる。
【実施例２】
【００３７】
次に、実施例２に係るオーディオ装置について、図面を参照しながら説明する。
実施例２に係るオーディオ装置の基本構成は実施例１のオーディオ装置１と同様である。よって、オーディオ装置１と同一の部分には同じ符号を用いて重複する説明を省略する。
【００３８】
実施例２に係るオーディオ装置は、リクエストする予定の曲を予めオーディオ装置に入力してリスト化する点で、実施例１のオーディオ装置１と異なる。例えば、利用者は停車中等に操作部１４を用いて、予めリクエストする曲を複数入力しておく。入力された複数のリクエスト曲は、制御部１０でリスト化され、曲名リストとして記憶部１５に記憶される。記憶部１５に記憶された曲名リストは、利用者がリクエストする際に、制御部１０で読み出されて、表示部１３のディスプレイに表示される。図６は、ディスプレイに表示される曲目リストの例示図である。利用者は、このリストの中からリクエストする曲名を音声認識部１６に向かって発声する。以上により、利用者はリクエストする曲を選択することができる。このように予めリクエストする曲をリスト化しておけば、音声認識部１６による曲名の誤認を防止でき、利用者はより快適にリクエストすることができる。
【００３９】
尚、本発明による電子メール送信方法は、例えば、ＣＰＵ、ＲＯＭ、ＲＡＭ等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。すなわち、このプログラムは、番組のリクエスト受け付け用のメールアドレスを取得するステップと、前記メールアドレスにリクエストする曲を記載した電子メールを送信するステップと、前記電子メールに記載すべき内容を音声により認識する音声認識ステップとをＣＰＵに実行させる。
【００４０】
以上本発明の好ましい実施形態について詳述したが、本発明は係る特定の実施形態に限定されるものではなく、特許請求の範囲に記載された本発明の要旨の範囲内において、変形・変更が可能である。例えば、既にリクエスト済みの曲をリスト化し、そのリストの中から、利用者はその時々の気分によって所望の曲をリクエストすることができるようにしてもよい。また、音声認識部１６を使わない場合であっても、ディスプレイのタッチスイッチを用いてリクエストすることも可能である。更に、本発明に係るオーディオ装置を、車載用ナビゲーション装置に組み込んでもよい。この場合、音声認識部は、ナビゲーション装置に搭載されているものを用いてもよい。また、本発明に係るオーディオ装置を用いて、ラジオ番組へのアンケートや、番組への感想などもメールで送信することができる。受信する番組は、テレビ番組であってもよい。
【図面の簡単な説明】
【００４１】
【図１】本実施例に係るオーディオ装置１の構成を示したブロック図である。
【図２】オーディオ装置１を用いてリクエストをする際の処理フローチャートである。
【図３】作成されたテーブルの例示図である。
【図４】受信局、番組名、放送時間、番組内容をディスプレイに表示する際の例示図である。
【図５】曲目とリクエスト先のメールアドレスをディスプレイに表示する際の例示図である。
【図６】ディスプレイに表示される曲目リストの例示図である。
【符号の説明】
【００４２】
１    ナビゲーション装置
１０  制御部
１１  ラジオ受信部
１２  送受信部
１３  表示部
１４  操作部
１５  記憶部
１６  音声認識部
【図１】
2006338323.tif 000003
【図２】
2006338323.tif 000004
【図３】
2006338323.tif 000005
【図４】
2006338323.tif 000006
【図５】
2006338323.tif 000007
【図６】
2006338323.tif 000008